(57)【要約】【課題】納骨容易なる墓石構造を提供する。【解決手段】墓石本体前面に台石と供物台上板を有する墓石において、台石に対する供物台上板のスライド移動手段を設けたことを特徴とする。【選択図】      図１２
2006177129.tif 000002
【特許請求の範囲】
【請求項１】
墓石本体前面に台石と供物台上板を有する墓石において、台石に対する供物台上板のスライド移動手段を設けたことを特徴とする納骨容易な墓石。
【発明の詳細な説明】
【技術分野】
【０００１】  この発明は、納骨を容易に行うことのできる構造を備えた墓石に関する。
【背景技術】
【０００２】  従来からの一般的な墓石はその前面に供物台上板を有するが、納骨時にはこの供物台上板（以下、単に上板と称する）を持ち上げて他の場所へ移動させる手段が必要であり、本発明にて示すように、上板のスライド機能を備えた墓石は見当たらない。
【発明の開示】
【発明が解決しようとする課題】
【０００３】  既述のように従来の墓石における納骨作業は、重量物である石材の上板を移動しなければならず、石材の種類やサイズおよび形状によっては成人男性でも困難な場合がある。
また、作業時における石材の損傷やけが等も懸念される。宗旨・宗派によっては納骨儀式の際に、上板上面に骨箱、供物、仏具等を置いて墓前供養を行い、その後に納骨作業を行うため、上板上の物品を他の場所に移動させなければ納骨も困難である。
本発明は以上のような従来からの墓石構造に関わる課題を解決するために発明されたもので、上板のスライド構造を設けることにより、上板の他の場所への移動手段を要せず、容易に納骨を行うことのできる新規かつ有用なる墓石構造を提供することを目的として開発されたものである。
【課題を解決するための手段】
【０００４】  課題を解決する手段として本発明は、台石に対して上板をスライド可能に設けてその主要部を構成した。すなわち、墓石本体前面に台石と供物台上板を有する墓石において、台石に対する供物台上板のスライド移動手段を設ける。
本発明は以上の構成よりなる納骨容易な墓石である。
【発明の効果】
【０００５】  本発明によれば、台石に対して上板をスライドレールを介することによりスライド可能に設けたので、納骨時において従来のように上板を台石から持ち上げて他の場所へ移動することなく、上板をスライドさせるだけで納骨することができて、その労力を軽微とし、また、上板上の物品を片付けなくとも納骨することのできる有用なる墓石構造を提供することができる。なお、実施形態にて記したように上板上方に近接して張り出し部分を設けることにより、雨水等の納骨場所への侵入を防止することができる。
【発明を実施するための最良の形態】
【０００６】  以下、本発明の実施形態について説明する。
図において、１は石材による略直方体形状の芝石で、その前面上部にはなだらかな曲線状に前方へ張り出す張り出し部２が一体に形成される。３は平面視略コ字形の石材よりなる台石で、その両端面は芝石前面に各々の下端を一致させて中央に固着される。
４は平面視略四角形状の石材による上板で、その内部は所定幅・所定深さにくり抜かれて底面視略コ字形部分を有している。この上板は図８に示すように、くり抜かれた部分を下向きにしてスライドレール５を介して台石の上方に位置している。また、くりぬき部分適所には金属塊によるストッパー６が取り付けられる。
本例にて使用するスライドレールは市販の三段伸縮タイプのものである。
このスライドレールは、細長板の上下をゆるやかに折曲してなるアウターチャンネル１０の内部にボールリテーナー１１を介して上下に鋼球１２が位置し、この鋼球の接触部分を有するインターチャンネル１３が設けられ、インターチャンネル内の鋼球に接してインナーチャンネル１４が位置する構成であり、アウターチャンネルに対してインターチャンネルがスライドし、このインターチャンネルに対してインナーチャンネルがスライドする。
従って、たとえばアウターチャンネルをある個所に固定し、インナーチャンネルに別体を固定したとき、インターチャンネルを介して相互に所定範囲内でのスライド移動が可能である。なお、各チャンネルの石材への取付は、チャンネルにあらかじめ穿設されている孔を用いて、石材に所定深さに穿設される孔内に、その内部に雌ネジを有するアダプターを挿入固定し、雄ネジを用いて螺着される。【０００７】  本例では図１０にて示すように、台石の両側面上部にアウターチャンネルを取り付け、上板内側面にインナーチャンネルを取り付けて、台石に対する上板のスライド移動を可能としている。また、このように台石に上板を取り付けたときの上板上面位置は芝石の張り出し部下面よりわずかに下方に位置する。従って、平常時は図８のごとく上板端部は張り出し部下方内側に位置するため、雨水等の納骨個所への侵入を防止することができる。
なお、上板下面にはストッパーが位置し、上板が所定位置までスライドするとこのストッパーが台石内面に接触するので、上板スライドによる台石からの離脱・落下を防ぐことができる。
本発明の使用に際しては、まず上板をつかんで前方へ引くと上板がスライドしてストッパーにより所定位置にて停止する。このとき図１２にて示すように、台石にて囲まれる空間が現れ、ここに遺骨を納める。次ぎに、前述と逆の操作にて上板は元の位置にもどり、初期状態となる。上板端は芝石前面に接しているが、この接触面直上には芝石の張り出し部が位置し、雨水の納骨個所への侵入が防止される。
なお、本例に使用するスライドレールは腐食に強いステンレス製が好ましく、本例で使用したタイプ以外の他のスライドレールを用いてもよい。また、ストッパーは例示したもの以外に、金属板を折曲したものや他の素材を用いて形成してもよく、台石との接触部分にゴム板などを張り付けて衝突を緩和する構成としてもよい。なお、上板の初期位置保持のためのストッパーを適所に設けてもよい。
本発明は種々の墓石に利用可能であり、既述の例で示した台石や上板は他の形状のものでもよい。なお、芝石は図１３にて示すように墓石本体に固着して用いられる。
以上のごとく、本発明にて納骨をより容易とする墓石構造を得ることができる。
【図面の簡単な説明】
【０００８】
【図１】  本発明の要部平面図
【図２】  本発明の要部正面図
【図３】  本発明の要部右側面図
【図４】  本発明の上板構造説明図（斜方底面視）
【図５】  本発明の台石構造説明図（斜視図）
【図６】  スライドレールの正面図（一部略）
【図７】  スライドレールの構造説明図（側面視）
【図８】  Ｂ−Ｂ断面図
【図９】  Ａ−Ａ断面図
【図１０】  本発明の要部構造説明図
【図１１】  本発明の使用状態説明図（上板閉時）
【図１２】  本発明の使用状態説明図（上板開時）
【図１３】  本発明利用時における墓石全体例図
【符号の説明】
【０００９】１    芝石
２    張り出し部
３    台石
４    上板
５    スライドレール
６    ストッパー
１０  アウターチャンネル
１１  ボールリテーナー
１２  鋼球
１３  インターチャンネル
１４  インナーチャンネル
【図１】
2006177129.tif 000003
【図２】
2006177129.tif 000004
【図３】
2006177129.tif 000005
【図４】
2006177129.tif 000006
【図５】
2006177129.tif 000007
【図６】
2006177129.tif 000008
【図７】
2006177129.tif 000009
【図８】
2006177129.tif 000010
【図９】
2006177129.tif 000011
【図１０】
2006177129.tif 000012
【図１１】
2006177129.tif 000013
【図１２】
2006177129.tif 000014
【図１３】
2006177129.tif 000015